(57)【要約】【課題】  コストが低く、軽量で断熱性及び遮音性に優れたパネル体及びその製造方法を提供する。【解決手段】  パネル体１０は、表側面となる表側板部材１１と、裏側面となる裏側板部材１２と、表側板部材１１と裏側板部材１２との周縁部が接合されて、この表側板部材１１と裏側板部材１２との間で形成される空間部Ｃと、空間部Ｃに充填される充填材料１３と、を備え、充填材料１３は、粉砕した発泡スチロールを加熱して所定の粒径に形成した発泡樹脂形成体１３Ａが含有されて構成されていること、を特徴とする。【選択図】      図３
2005290934.tif 000002
【特許請求の範囲】
【請求項１】
表側面となる表側板部材と、
裏側面となる裏側板部材と、
前記表側板部材と前記裏側板部材との間に形成される空間部に充填される充填材料と、を備え、
前記充填材料は、粉砕した発泡スチロールを加熱して所定の粒径に形成した発泡樹脂形成体が含有されて構成されていること、を特徴とするパネル体。
【発明の詳細な説明】
【技術分野】
【０００１】
本発明は、空間部に充填材料が充填されたパネル体に関する。
【背景技術】
【０００２】
従来から空間部に充填材料が充填されたパネル体として、例えば、フロアパネルの場合、このフロアパネルの中空部（空間部）にモルタルや軽量気泡コンクリート等を充填したものが提案されている。
このフロアパネルは、表面及び裏面を構成する２枚の鋼板の間に、必要とするパネル厚に対応して中空部が形成されており、両鋼板を周縁部で接合するとともに、中空部を通る複数の止め金具で上下方向に連結し、その中空部に充填材料として、パーライトや岩石系の砂等を骨材とするモルタルや軽量気泡コンクリートが充填されることで形成されている（例えば、特許文献１参照）。
【特許文献１】特開平５−１３３０７９号公報（段落００１５〜００２０、図１）
【発明の開示】
【発明が解決しようとする課題】
【０００３】
しかしながら、このようなフロアパネルでは、パーライトや岩石系の砂を骨材とするモルタルを用いているため、重量が大きくなるという問題がある。
また、重量を軽くするために軽量気泡コンクリートを充填材料として用いると、コストが高くなるという問題があり、さらに、モルタルや軽量気泡コンクリートを充填材料として用いた場合、断熱性や遮音性等の性能の向上に限界があるという問題があった。
【０００４】
そこで、本発明では、前記した問題を解決し、コストが低く、軽量で断熱性及び遮音性に優れたパネル体及びその製造方法を提供することを課題とする。
【課題を解決するための手段】
【０００５】
前記課題を解決するため、本発明のパネル体は、表側面となる表側板部材と、裏側面となる裏側板部材と、前記表側板部材と前記裏側板部材との間に形成される空間部に充填される充填材料と、を備え、前記充填材料は、粉砕した発泡スチロールを加熱して所定の粒径に形成した発泡樹脂形成体が含有されて構成されていること、を特徴とする。
【発明の効果】
【０００６】
このようなパネル体によれば、空間部に充填される充填材料の骨材に粉砕した発泡スチロールを加熱して所定の粒径に形成した発泡樹脂形成体を用いたことで、コストが低く、軽量化されつつ、耐熱性及び吸音性にすぐれたパネル体とすることができる。
また、発泡スチロールを発泡樹脂形成体として用いたことにより、コストを低くすることができる。
【発明を実施するための最良の形態】
【０００７】
次に、本発明を実施するための最良の形態（以下、「実施形態」という。）について、適宜図面を参照しながら詳細に説明する。
図１（ａ）は、本発明の実施形態に係るパネル体の一例を示す平面図であり、図１（ｂ）は、図１（ａ）のＡ−Ａ断面図であり、図１（ｃ）は、図１（ｂ）のＢ部拡大図である。図２（ａ）は、表側板部材と裏側板部材との周縁部を接合した一例を示す側断面図であり、図２（ｂ）は、空間部に充填材料を充填してパネル体とした状態を示す側断面図である。図３は、本発明の実施形態にかかるパネル体を二重床に用いた状態を示す側断面図である。
なお、本発明のパネル体を、建築物等に設けられる、配線を容易にするための二重床の充填型ＯＡフロアパネルに用いた場合について説明する。また、充填材料を、発泡樹脂形成体を骨材に用いたモルタルとして説明する。
【０００８】
本発明の充填型ＯＡフロアパネル１０は、図１（ａ），（ｂ）に示すように、表側板部材１１と裏側板部材１２とモルタル１３とから構成されており、図３に示すように、建築物の床Ｙ上に設けられた隣り合う支持脚Ｓ，Ｓ間に横架して用いられるものである。この充填型ＯＡフロアパネル１０を複数並べることにより、二重床を形成することができ、建築物の床Ｙとこの充填型ＯＡフロアパネル１０の間に設けられた配線空間Ｈに電気ケーブル（図示せず）を配設することができるようになっている。
【０００９】
表側板部材１１は、図１（ａ），（ｂ）に示すように、平面視矩形形状に形成された平面状部材であって、そのコーナー部が面取りされている。そして、平面視矩形形状の４辺のうちの１辺には、前記配線空間と連通する切欠き部Ｍが設けられており、この切欠き部Ｍにはカバー部材Ｋが嵌め込まれている。このカバー部材Ｋをはずすことにより、切欠き部Ｍを通って配線空間Ｈに配設された電気ケーブルを配線空間Ｈの外に出すことができるようになっている。
【００１０】
裏側板部材１２は、図１（ｂ）及び図２（ａ）に示すように、平面視矩形形状の底部１２Ａと、この底部１２Ａの周縁に形成された周壁部１２Ｂと、この周壁部１２Ｂの上端に形成され、表側板部材１１の周縁部１１Ａに当接する当接部１２Ｃとを備えている。
底部１２Ａは、図２（ａ）に示すように、平面視矩形形状を呈する平面状の板部材に、当接部１２Ｃを残してプレス加工を施すことにより形成される。そして、周壁部１２Ｂは、このプレス加工を施すことにより底部１２Ａの周縁に形成されることとなる。したがって、当接部１２Ｃは周壁部１２Ｂの上端に形成される。
この裏側板部材１２は、底部１２Ａと周壁部１２Ｂとで凹部Ｕが形成されるとともに、パネル体１０の剛性を高めるために、底部１２Ａに断面視略円弧状の凸部Ｄが複数形成される。また、裏側板部材１２の当接部１２Ｃは、表側板部材１１の周縁部１１Ａと一致するように形成されている。
この凸部Ｄの形状は断面視円弧状に限られるものではなく、断面視多角形や、曲率の異なる円弧を組み合わせた形状としても良い。また、凸部Ｄを形成する個数は制限されるものではなく、用いられる状態に対応した個数を形成する。
さらに、裏側板部材１２の底部１２Ａには表側板部材１１の切欠き部Ｍと対応する位置に切欠き部（図示せず）が形成されている。したがって、周壁部１２Ｂは、底部１２Ａの切欠き部の周縁にも形成されることとなる。
【００１１】
図２（ａ）に示すように、この表側板部材１１の周縁部１１Ａと裏側板部材１２の当接部１２Ｃとを接合することにより、表側板部材１１と裏側板部材１２との間に空間部Ｃが形成される。
【００１２】
モルタル１３は、図２（ａ），（ｂ）に示すように、空間部Ｃに充填される。このモルタル１３は、粉砕した発泡スチロールを加熱して所定の粒径に形成した発泡樹脂形成体１３Ａとセメントと水とから構成されており、フレッシュの状態で空間部Ｃに充填されるものである。なお、モルタル１３には、補強繊維や流動性や硬化時間等を考慮して各種添加剤を添加させることもできる。
発泡樹脂形成体１３Ａは、例えば、従来から用いられている「発泡樹脂生形体の加熱減容装置（特開２００３−３０５７２０）」を用いて形成することができる。
この装置によれば、予め破砕機等により所定の大きさで粉砕されている、梱包箱等で商品の外周に備えられる使用済みの衝撃吸収材（発泡ポリスチレン（Ｅｘｐａｎｄｅｄ  Ｐｏｌｙｓｔｙｒｅｎｅ）いわゆるＥＰＳ、以下、「発泡スチロール」という。）を加熱しながら撹拌することで、粉砕された発泡スチロールを硬化させつつ減容させることができる。これにより、発泡スチロールは、所定の粒径の粉体の発泡樹脂形成体１３Ａとなる。
【００１３】
このようにして形成された発泡樹脂形成体１３Ａは、図１（ｃ）に示すように、モルタル１３の骨材として用いられる。ここで、発泡樹脂形成体１３Ａをモルタル１３の骨材として用いると、発泡樹脂形成体１３Ａには吸水性がないため、従来のようなモルタルの生成で行われている骨材の吸水率に基づく水セメント比の調節を行う必要がなくなるので、容易にモルタル１３の生成を行うことができる。
また、この発泡スチロールは、廃棄された使用済みの発泡スチロールであるため材料に係る費用を低くすることができ、また調達も容易であり、その分、コストを低くすることができる。
また、発泡樹脂形成体１３Ａをモルタル１３の骨材に用いることで、断熱性及び吸音性を向上させることができ、また従来から用いられているパーライトなどの骨材よりも軽いので、充填型ＯＡフロアパネル１０を軽くすることができる。
【００１４】
続いて、本発明に係る充填型ＯＡフロアパネルの製造方法について説明する。
本実施形態にかかる製造方法は、空間部形成工程と、充填材料生成工程と、充填工程とから構成されている。
まず、図２（ａ）に示すように、空間部形成工程では、平面視矩形形状の底部１２Ａと周壁部１２Ｂとで凹部Ｕが形成された矩形形状の裏側板部材１２の当接部１２Ｃと、矩形形状の表側板部材１１の周縁部１１Ａと、を凹部Ｕを表側板部材１１で塞ぐように接合して密閉状態にして空間部Ｃを形成する。
充填材料生成工程では、粉砕した発泡スチロールを加熱して所定の粒径に形成した発泡樹脂形成体１３Ａとセメントと水とから充填材料としてのモルタル１３を生成する。
なお、必要に応じて、添加剤、補強繊維等をモルタル１３に配合しても良い。
充填工程では、空間部形成工程で形成した空間部Ｃに、充填材料生成工程で生成したモルタル１３を充填することにより充填型ＯＡフロアパネル１０を完成させる。
【００１５】
このように製造することにより、軽量であり、断熱性及び吸音性の優れた充填型ＯＡフロアパネル１０とすることができる。
以上、本発明の実施形態について説明したが、本発明は前記実施形態には限定されない。例えば、本実施形態では、発泡スチロールから発泡樹脂形成体を形成したが、発泡樹脂形成体はこれに限るものではなく、加熱することにより減容することができる発泡樹脂形成体であれば任意の種類のものを使用することができる。
また、パネル体を充填型ＯＡフロアパネルとして説明したが、パネル体はこれに限るものではなく、トイレブース、パーテーション、解体工事用外壁防音パネルとすることもできる。
【実施例】
【００１６】
次に、本発明の効果を確認した実施例について説明する。前記実施形態の充填型ＯＡフロアパネルを用いて、モルタル１３と従来のモルタルとで、比重を比較した。
なお、実施例１において、発泡樹脂形成体としてテプサ（φ３ｍｍ、大成建設製）を用いた。また、実施例１及び比較例１に共通して用いられる材料として、セメントとして普通ポルトランドセメントを用い、水を上水道水とした。また、添加剤（増粘剤）としてメチルセルロース（信越化学製）を用い、モルタル補強繊維としてＰＶＡ繊維（クラレ製：ポバール３ｍｍ）を用いた。
なお、「ＰＶＡ」は、「ＰｏｌｙＶｉｎｙｌ  Ａｌｃｏｈｏｌ（ポリビニールアルコール）」の略称である。
また、比較例１では、実施例１の発泡樹脂形成体に替えてパーライトを用いた。
モルタル補強繊維は、モルタル強度（特に曲げ強度）向上、材料分離の低減、ひび割れ防止のために用いた。
添加剤は、材料分離の防止、モルタル充填性向上、ワーカビリティ向上のために用いた。
【００１７】
実施例１及び比較例１における配合は、通常行われている１バッチの配合の１０分の１である。
実施例１において、セメント２５（ｋｇ）、水１０．３（リットル）、モルタル補強繊維０．２３（ｋｇ）、添加剤１０（ｃｃ）、発泡樹脂形成体１８（リットル）でモルタルを配合した。
比較例１において、セメント２５（ｋｇ）、水１１．３（リットル）、モルタル補強繊維０．２３（ｋｇ）、添加剤１０（ｃｃ）、パーライト（１８リットル）でモルタルを配合した。
【００１８】
【表１】
2005290934.tif 000003
【００１９】
このようにして配合したモルタルを別々の充填型ＯＡフロアパネルの中空部に充填した。
これら条件によりテストした結果を表２に示す。表２に示すように、パーライトを含む比較例１のモルタルの比重が１．２８となり、発泡樹脂形成体を含む実施例１のモルタルの比重が１．１となり、実施例１のモルタルのほうが比較例１のモルタルより比重が軽くなっていることを確認した。
また、比較例１のモルタルが充填された充填型ＯＡフロアパネルの重量は、７．１５（ｋｇ／枚）となり、実施例１のモルタルが充填された充填型ＯＡフロアパネルの重量は、６．４５（ｋｇ／枚）となり、充填型ＯＡフロアパネルの重量も実施例１のモルタルのほうが比較例１のモルタルよりパネル重量が約１０パーセント軽くなっていることを確認した。
これにより、本発明のパネル体が軽量化されていることが確認できた。
【００２０】
【表２】
2005290934.tif 000004
【００２１】
なお、使用する材料において、セメントにはフライアッシュセメントＢ種等、各種セメントを用いることができ、添加剤には気泡連行剤（起泡剤）等を用いることもできる。さらに、モルタル補強繊維にはＰＰ繊維等を用いることもできる。
【図面の簡単な説明】
【００２２】
【図１】ａ）は、本発明の実施形態に係るパネル体の一例を示す平面図であり、（ｂ）は、図１（ａ）のＡ−Ａ断面図であり、（ｃ）は、図１（ｂ）のＢ部拡大図である。
【図２】（ａ）は、表側板部材と裏側板部材との周縁部を接合した一例を示す側断面図であり、（ｂ）は、空間部に充填材料を充填してパネル体とした状態を示す側断面図である。
【図３】本発明の実施形態にかかるパネル体を二重床に用いた状態を示す側断面図である。
【符号の説明】
【００２３】
１０    充填型ＯＡフロアパネル（パネル体）
１１    表側板部材
１２    裏側板部材
１３    モルタル（充填材料）
１３Ａ  発泡樹脂形成体
Ｃ      空間部
Ｄ      凸部
Ｕ      凹部
【図１】
2005290934.tif 000005
【図２】
2005290934.tif 000006
【図３】
2005290934.tif 000007